(57)【要約】      （修正有）【課題】携帯性に優れ、洋傘が濡れた状態での扱いが簡便な洋傘のカバーを供する【解決手段】ゴム状素材による筒を傘袋とし、前記傘袋の胴部には巻き取りを容易にするための多数箇所にたるみ部あるいは太さ方向に拡張可能な蛇腹式の折り目を配し、前記傘袋の先端近くに傘袋の長手方向とほぼ直角をなして傘袋をほぼ一周する輪としての肉厚部あるいはゴム状素材による紐を配すことで、前記筒をドーナツ状に巻き取って前記傘袋の先端に向かう過程において前記巻き取りに抵抗を与え、逆転してほどけることを防ぐ構成とした。前記傘袋胴部が前記たるみ部の集合した地帯と前記たるみ部の存在しない地帯の組み合わせによって構成する。【選択図】    図６
2004173890.tif 000002
【特許請求の範囲】
【請求項１】
ゴム状素材による筒を傘袋とし、傘袋の先端部に石突きへの取り付け部を設け、前記傘袋の胴部には巻き取りを容易にするための多数箇所にたるみあるいは太さ方向に拡張可能な蛇腹式の折り目を配し、前記傘袋の先端近くに傘袋の長手方向とほぼ直角をなして傘袋をほぼ一周する輪としての肉厚部あるいはゴム状素材による紐を配すことで、前記筒をドーナツ状に巻き取って前記傘袋の先端に向かう過程において前記巻き取りに抵抗を与え、逆転してほどけることを防ぐ構成とした洋傘カバー。
【請求項２】
ゴム状素材による筒を傘袋とし、傘袋の先端部に石突きへの取り付け部を設け、前記傘袋の胴部には巻き取りを容易にするための多数箇所にたるみ部を配し、前記傘袋胴部が前記たるみ部の集合した地帯と前記たるみ部の存在しない地帯の組み合わせによって構成された洋傘カバー。
【請求項３】
傘袋の先端に、洋傘の石突きに嵌合可能な孔の径の異なる複数の輪を、大から小に向かって段階的に変化するように連結して取り付けた請求項１あるいは請求項２のいずれかに記載した洋傘カバー。
【発明の詳細な説明】
【０００１】
【発明の属する技術分野】
本発明は、洋傘の収納カバーに関するものである。
【０００２】
【従来の技術】
満員電車への濡れた傘の持ち込みは他人の衣類を濡らし大変な迷惑となることから、また、乗用車への持ち込みは車内を濡らすことから、濡れた洋傘のカバーについては多くの考案がなされてきた。その多くは、形状のコンパクト化と携帯性及び扱いの容易さを追求するものであった。
【０００３】
従来の技術は特開平９−２７６０１８のごとく洋傘の石突き部に容器を装着してカバーを収納するもの、実開昭６２−１３９３２０のごとく、蛇腹式にして、容器を折り畳むものに代表される。ゴム状素材の筒を傘袋とし、石突き部に筒の先端を固定し、傘の取っ手の方から先端に向かってドーナツ状に巻き上げて収納する発明及び考案として、特開平７−３０８２１３と実開昭５１−１１０７５７が有る。
【０００４】
石突き部に容器を装着するものとして特開平９−２７６０１８を例に取れば、カバー収納筒はある程度の容積を必要とし、大型にならざるを得ない。特に保形枠の存在は小型化を阻むことになる。収納時の小型化を図れば、カバー素材を薄くせざるを得ず、耐久性に問題が生じる。実開昭６２−１３９３２０のごとく、蛇腹式のものは容積が大きくなり、携帯に不便である。
【０００５】
【特許文献１】特開平７−３０８２１３
【特許文献２】実開昭５１−１１０７５７
そこで、以下のことが課題となる。極めて小型軽量であること、洋傘に装着して置き、必要に応じて素早く使用できること、カバーをすること及びカバーを収納することの操作が容易であること等の解決のために、傘袋をゴム状の筒とした特開平７−３０８２１３と実開昭５１−１１０７５７がある、しかし、前記ゴム状素材の筒を傘袋とした例では、石突き部に筒の先端を固定し、傘の取っ手の方から先端に向かってドーナツ状に巻き上げて収納するが、巻き上げる過程に於いて、傘袋の巻き上げられてドーナツ状になった部分が、徐々に太さを増して、極めて巻き取りが困難となる。
【０００６】
【特許文献３】特願２００１−５１２００
上記の巻き取り困難を解決するのが特願２００１−５１２００であって、筒胴部に多数の袋状凹凸あるいは長手方向に峰と山が伸びる蛇腹式の折り目を配することで前記ドーナツ状になった部分が円周方向へ延びるためのゆとりを生じさせ、巻き取りを容易にしている。
しかし、巻き取った部分を締め付けて固定する手段として、「傘袋の先端近くに長手方向とほぼ直角をなして傘袋をほぼ一周する輪としての凹凸あるいは前記蛇腹式の折り目のない地帯を形成して締め付け部」としているため、そのことが外見を規定し、デザイン上の制約を生じさせ、前記筒胴部の凹凸もしくは蛇腹式の折り目を美的に配置しようとした際の足かせとなっている。
【０００７】
また、前記傘袋胴部が前記蛇腹式折り目のある部分と無い部分の組み合わせによって構成された洋傘カバーとし、要所要所に折り目のない部分を配することで折り目の根元を引き締め、折り目が延び広がることによって前記胴部がだらしなく押し広げられてしまうことを防いでいるものの、蛇腹以外の凹凸や不定形のたるみを胴部に配した場合のことについては何も配慮されていないため、蛇腹以外のたるみ部が多数配された傘袋に於いても胴部を引き締めるための手だてが必要となる。
【０００８】
【発明が解決しようとする課題】
本発明は、携帯性に優れ、洋傘が濡れた状態での扱いが簡便な洋傘のカバーを供するものであって、特願２００１−５１２００に示された発明が解決し得ない「傘袋の先端近くに長手方向とほぼ直角をなして傘袋をほぼ一周する輪としての凹凸あるいは蛇腹式の折り目のない地帯を形成」することによって生じるデザイン上の制約を無くして、これを改良することを主な課題とする。
又、傘カバーの胴部に傘カバーを巻き取り容易にするための蛇腹以外の多数のたるみ部を設けた場合の、胴部を引き締める手だてを講じる。
【０００９】
【課題を解決するための手段】
ゴム状素材による筒を傘袋とし、傘袋の先端部に石突きへの取り付け部を設け、前記傘袋の胴部には巻き取りを容易にするための多数箇所にたるみあるいは太さ方向に拡張可能な蛇腹式の折り目を配し、前記傘袋の先端近くに傘袋の長手方向とほぼ直角をなして傘袋をほぼ一周する輪としての肉厚部あるいはゴム状素材による紐を配すことで、前記筒をドーナツ状に巻き取って前記傘袋の先端に向かう過程において前記巻き取りに抵抗を与え、逆転してほどけることを防ぐ構成とした洋傘カバーを供する。
【００１０】
ゴム状素材による筒を傘袋とし、傘袋の先端部に石突きへの取り付け部を設け、前記傘袋の胴部には巻き取りを容易にするための多数箇所にたるみ部を配し、前記傘袋胴部が前記たるみ部の集合した地帯と前記たるみ部の存在しない地帯の組み合わせによって構成された洋傘カバーを供する。
【００１１】
傘袋の先端に、洋傘の石突きに嵌合可能な孔の径の異なる複数の輪を、大から小に向かって段階的に変化するように連結して取り付けた請求項１あるいは請求項２のいずれかに記載した洋傘カバーを供する。
【００１２】
【発明の実施の形態】
発明の実施の形態について図を用いて説明する。
図１は洋傘１に本発明の傘袋２を装着した状態を示す実施例１の斜視図である。傘袋２は伸縮性に富み、柔軟で水に対し不透性の素材つまりゴム状素材による薄膜で細長い筒状体を成形して洋傘カバーとする。
【００１３】
傘袋１の胴部３は多数のたるみ部４を設ける。たるみ部４は胴部３を形成するゴム状薄膜が、丸や四角あるいは不定形などに凹凸をなして袋状に似たたるみを生じたものである。傘袋２の先端近くに傘袋２をほぼ一周する輪としての締め付け部５である肉厚部５１あるいはゴム状素材による紐５２を配し、先端には取り付け部６を配する。図１において締め付け部５には胴部３に配されたたるみ部４が配されて無い様に描かれているが、締め付け部５の位置を明確に示すための便宜的なものであって実際にはたるみ部４による加飾が連続し、締め付け部５は裏側に施すか加飾に紛れて気づかないように配する。
【００１４】
傘１の収納時には巻き取られてリング状になった傘袋２１を傘１の取っ手１３に向かってしごくように回転させて伸ばす。又、傘１を使用するために傘袋２を傘１からはずすには収納時とは逆に巻き取られてリング状になった傘袋２１を傘１の石突き１２に向かって、つまり下向きの矢印の方向にしごくように回転させて傘袋２を巻きとる。巻き取られた傘袋２がリング状になり太さを増し、巻き取りに対する抵抗を増すが、たるみ部４がつくるたるみが延びることによって巻き取りを容易にする。
【００１５】
傘袋２の先端近くに傘袋２をほぼ一周する輪としての肉厚部５１あるいはゴム状素材による紐５２を配して締め付け部とする。巻き取られてリング状になった傘袋２１は位置の固定に対し不安定で、ほどけるようとする力が働く。締め付け部５まで巻き取りが進んで、更に巻き取ろうとすると締め付け部５つまり肉厚部５１あるいはゴム状素材による紐５２が引き延ばされることに抵抗力を発揮する。前記抵抗力を乗り越えて巻き取ると今度は肉厚部５１あるいはゴム状素材による紐５２が、締め付け部としての機能を発揮し、傘袋２が元に戻ろうとすることを妨げる。
【００１６】
図２は実施例１に於ける傘袋２が巻き取られた状態を示す一部断面を含む斜視図である。本図は傘袋２の端に形成された巻き取り芯７を軸として最後まで巻き取られてリング状となった傘袋２１の一部を切り欠いて約半分が断面、残り半分が巻き取られた外見を表している。傘袋の先端部近くに傘袋をほぼ一周する輪として肉厚部５１を締め付け部５とした例であるが、肉厚部５１がリングの外側に来たときには大きく引き延ばされ、巻き取るために必要な力も強くなる。
【００１７】
リングの山つまりリングの外側を乗り越えて内側に近づくにつれ、巻き取られてリング状になった傘袋２１は位置的に安定する。肉厚部５１は巻き取られてリング状となった傘袋２１を締め付け、傘袋２がほどけて元の形状に戻ることを防ぐ。肉厚部５１をゴム状素材による紐５２に替えても同様の効果を発揮する。肉厚部５１は、後述するがたるみ部４や蛇腹による凹凸によってなされる加飾を妨げないものとする。
【００１８】
図３は傘袋２が巻き取られた状態を示す実施例２の斜視図であり、図２に於ける肉厚部５１をゴム状の紐５２に置き換えたものである。傘袋２の先端には傘袋２を形成するゴム状薄膜の補強を兼ねたゴム状素材による輪等を傘への取り付け部６として形成する。取り付け部６の穴に石突き１２を挿入してゴム状素材の弾力あるいは接着等により傘袋２を石突き１２に固定できるようにする。
【００１９】
石突き１２がねじにより取り外し可能な場合には石突き１２をはずし、傘布２と石突き１２の間に取り付け部６を挟んで固定することが出来る。使用に当たっては傘袋２開口部から裏返してリング状に巻き取ったものを、上記の方法で装着する。取り付け部６は傘袋に接する方から順に孔の径の比較的大きな取り付け部大６１、ついで孔の径の大きな取り付け部中６２、最後に孔の径の一番小さな取り付け部小６３を連結して傘袋先端に形成する。石突き１２の細いものにはそのままで使用し、太くなるに従って取り付け部小６３、取り付け部中６２を切り取って石突きの太さと取り付け部の孔の径を合わせて使用する。
【００２０】
図４は実施例３の一部断面図を含む斜視図であり、巻き取られた状態の傘袋２を切り欠き、たるみ部４の数を省略して示したものである。傘袋２を巻き取ると巻き取る以前の傘袋２の直径Ｌ１が巻き取られた状態での直径Ｌ２にまで引き延ばされる。傘袋を長手方向に対しほぼ垂直方向に切断した場合の断面２４の長さはにたるみ部４の存在によりよって傘袋の外周よりも長い。巻き取られてリングの外側に位置したたるみ部４１は円周方向に引き延ばされ、巻き取りを容易にする。
【００２１】
図５は実施例４における傘袋２の長手方向の長さを省略して横に拡大して示した一部断面を含む斜視図である。特願２００１−５１２００号に示された発明がが締め付け部５として「傘袋の先端近くに長手方向とほぼ直角をなして傘袋をほぼ一周する輪としての凹凸あるいは蛇腹式の折り目のない地帯を形成して締め付け具とする」のに対し、本願発明は「傘袋の先端近くに傘袋の長手方向とほぼ直角をなして傘袋をほぼ一周する輪としての肉厚部あるいはゴム状素材による紐を配すことで、前記筒をドーナツ状に巻き取って前記傘袋の先端に向かう過程において前記巻き取りに抵抗を与え、逆転してほどけることを防ぐ構成とした」ため、締め付け部５の位置であっても凹凸によって加飾することが可能となり、締め付け部５を形成するためのデザイン上の制約を受けることがなくなる。
【００２２】
本図は加飾がたるみ部４の配列であって締め付け部５を肉厚部５１とした例である。傘袋２の表面にたるみ部４の形状や配置を様々に工夫して変化させても、それに左右されずに傘袋２の裏側に肉厚部５１を形成することで締め付け部５とすることができる。本図は傘袋２の一部を切り欠いて断面を表しているが、内部から見た凹凸は図を見やすくするために省略してある。
【００２３】
図６は実施例５における傘袋２の長手方向の長さを省略して横に拡大して示した一部断面を含む斜視図である。本図は加飾として太さ方向に拡張可能な蛇腹式の折り目を配し、嶺８１と谷８２を有する蛇腹８の配列であって締め付け部５をゴム状素材による紐５２とした例である。傘袋２の表面に嶺８１と谷８２を様々に変化させて配置しても、それに左右されずに傘袋２の裏側にゴム状素材による紐５２を形成することで締め付け部５とすることができる。場合によっては意図的にゴム状素材による紐５２を表に配置することや、一部を表に配置し一部を裏側に配置するなどしてデザイン上の多様性を実現させることが可能となる。内部から見た凹凸を省略して描いたことは図５と同様である。
【００２４】
図７は実施例６の拡大図であり、傘袋２の先端部を長手方向に切り裂いて内側を手前にして示したものである。本実施例は傘袋胴部３に、たるみ部の集合した地帯２２とたるみ部の存在しない地帯２３を形成した例を示したものである。たるみ部４を傘袋胴部３の全面に配した場合には、たるみ部４の形状やたるみ部４とたるみ部４の間隔によっては、全体のたるみ部４が引き延ばされて傘袋２がだらしなく延び広がってしまう。たるみ部の集合した地帯２２とたるみ部の存在しない地帯２３を形成することにより、たるみ部の存在しない地帯が傘袋２が延び広がることを防ぎ引き締まった形状を保つことが可能となる。
【００２５】
傘袋胴部３の不特定の場所を傘袋の中心軸に対し垂直方向に切断した場合、巻き取りに必要な力あるいは傘１を締め付ける力を一定に保つために、どの断面に於いてもたるみ部４のある部分と無い部分の比率が一定であることが望ましい。本図の場合にはたるみ部４が存在しない地帯２３が傘袋２全体を網目状に覆うことになって傘袋２がだらしなく広がってしまうことを防ぐ。又、締め付け部５の位置を気にすることなく、たるみ部４の形状やたるみぶ４を集合させた地帯２２とたるみ部の存在しない地帯２３の組み合わせを自由に変えることが可能であるため、加飾に様々な可能性が生じる。図６に於いても同様のことが言える。
【００２６】
【発明の効果】
本発明は、ゴム状素材による筒を傘袋とし、傘袋の先端部に石突きへの取り付け部を設け、前記傘袋の胴部には巻き取りを容易にするための多数箇所にたるみあるいは太さ方向に拡張可能な蛇腹式の折り目を配し、前記傘袋の先端近くに傘袋の長手方向とほぼ直角をなして傘袋をほぼ一周する輪としての肉厚部あるいはゴム状素材による紐を配すことで、前記筒をドーナツ状に巻き取って前記傘袋の先端に向かう過程において前記巻き取りに抵抗を与え、逆転してほどけることを防ぐ構成とした洋傘カバーであるため次に記載する効果を奏する。
【００２７】
特願２００１−５１２００号に示された発明が締め付け部５として「傘袋の先端近くに長手方向とほぼ直角をなして傘袋をほぼ一周する輪としての凹凸あるいは蛇腹式の折り目のない地帯を形成して締め付け具とする」のに対し、本願発明は「傘袋の先端近くに傘袋の長手方向とほぼ直角をなして傘袋をほぼ一周する輪としての肉厚部あるいはゴム状素材による紐を配すことで、前記筒をドーナツ状に巻き取って前記傘袋の先端に向かう過程において前記巻き取りに抵抗を与え、逆転してほどけることを防ぐ構成とした」ため、締め付け部５を設けた位置であってもその場所を凹凸にって加飾することが可能となり、締め付け部５を形成するためのデザイン上の制約を受けることがなくなった。
【００２８】
ゴム状素材による筒を傘袋とし、傘袋の先端部に石突きへの取り付け部を設け、前記傘袋の胴部には巻き取りを容易にするための多数箇所にたるみ部を配し、前記傘袋胴部が前記たるみ部の集合した地帯と前記たるみ部の存在しない地帯の組み合わせによって構成された洋傘カバーであるため次に記載する効果を奏する。
【００２９】
たるみ部４の集合させた地帯２２とたるみ部の存在しない地帯２３を設けることで、たるみ部４の存在しない地帯２３、傘袋２の胴部３がだらしなく延び広がることを防ぎ引き締まった形状を保つことが可能となる。胴部３に付けるたるみ部４の大きさや形状またはたるみ部４の存在しない地帯２３形状及びそれぞれの組み合わせを変えることによって加飾の可能性の幅を大きく拡げることが可能となる。
【００３０】
傘袋の先端に、洋傘の石突きに嵌合可能な孔の径の異なる複数の輪を、大から小に向かって段階的に変化するように連結して取り付けた請求項１あるいは請求項２のいずれかに記載した洋傘カバーであるため次に記載する効果を奏する。
【００３１】
洋傘の石突き部は傘それぞれによって太さがまちまちであるが、孔の径の異なる複数の輪を、大から小に向かって段階的に変化するように連結して取り付けてあるため、合致しないものを切り捨てることによって、一種類の傘カバーを用意するだけで様々なタイプの洋傘に使用可能となる。
【図面の簡単な説明】
【図１】実施例１の斜視図であり、洋傘１に本発明を装着した状体を示すものである。
【図２】実施例１に於ける傘袋２が巻き取られた状態を示す一部断面を含む斜視図である。
【図３】傘袋２が巻き取られた状態を示す実施例２の斜視図である。
【図４】実施例３の一部断面図を含む斜視図であり
【図５】実施例４における傘袋２の長手方向の長さを省略して横に拡大して示した一部断面を含む斜視図である。
【図６】実施例５における傘袋２の長手方向の長さを省略して横に拡大して示した一部断面を含む斜視図である。
【図７】実施例６の切り裂いて表した拡大図である。
【符号の説明】
１  洋傘
１２  石突き
１３  取っ手
２  傘袋
２１  リング状になった傘袋
２２  たるみ部の集合した地帯
２３  たるみ部の存在しない地帯
２４  傘袋の断面
３  胴部
４  たるみ部
４１  リングの外側に位置したたるみ部
５  締め付け部
５１  肉厚部
５２  ゴム状素材による紐
６  取り付け部
６１  取り付け部大
６２  取り付け部中
６３  取り付け部小
７  巻き取り芯
８  蛇腹
８１  嶺
８２  谷
Ｌ１  巻き取ると巻き取る以前の傘袋２の直径
Ｌ２  巻き取られた状態での傘袋２の直径
【図１】
2004173890.tif 000003
【図２】
2004173890.tif 000004
【図３】
2004173890.tif 000005
【図４】
2004173890.tif 000006
【図５】
2004173890.tif 000007
【図６】
2004173890.tif 000008
【図７】
2004173890.tif 000009
【手続補正書】
【提出日】平成15年4月22日(2003.4.22)
【手続補正１】
【補正対象書類名】明細書
【補正対象項目名】全文
【補正方法】変更
【補正の内容】
【特許請求の範囲】
【請求項１】ゴム状素材による筒を傘袋とし、傘袋の先端部に石突きへの取り付け部を設け、前記傘袋の胴部には巻き取りを容易にするための多数箇所にたるみあるいは太さ方向に拡張可能な蛇腹式の折り目を配し、前記たるみあるいは太さ方向に拡張可能な蛇腹式の折り目を配したと同位置に重ねて、前記傘袋の先端近くに傘袋の長手方向とほぼ直角をなして傘袋をほぼ一周する輪としての肉厚部あるいはゴム状素材による紐を配すことで、前記筒をドーナツ状に巻き取って前記傘袋の先端に向かう過程において前記巻き取りに抵抗を与え、逆転してほどけることを防ぐ構成とした洋傘カバー。
【請求項２】ゴム状素材による筒を傘袋とし、傘袋の先端部に石突きへの取り付け部を設け、前記傘袋の胴部には巻き取りを容易にするための多数箇所にたるみ部を配し、前記傘袋胴部が前記たるみ部の集合した地帯と前記たるみ部の存在しない地帯の組み合わせによって構成された請求項１に記載した洋傘カバー。
【請求項３】傘袋の先端に、洋傘の石突きに嵌合可能な孔の径の異なる複数の輪を、大から小に向かって段階的に変化するように連結して取り付けた請求項１あるいは請求項２のいずれかに記載した洋傘カバー。
【発明の詳細な説明】
【０００１】
【発明の属する技術分野】
本発明は、洋傘の収納カバーに関するものである。
【０００２】
【従来の技術】
満員電車への濡れた傘の持ち込みは他人の衣類を濡らし大変な迷惑となることから、また、乗用車への持ち込みは車内を濡らすことから、濡れた洋傘のカバーについては多くの考案がなされてきた。その多くは、形状のコンパクト化と携帯性及び扱いの容易さを追求するものであった。
【０００３】
従来の技術は特開平９−２７６０１８のごとく洋傘の石突き部に容器を装着してカバーを収納するもの、実開昭６２−１３９３２０のごとく、蛇腹式にして、容器を折り畳むものに代表される。ゴム状素材の筒を傘袋とし、石突き部に筒の先端を固定し、傘の取っ手の方から先端に向かってドーナツ状に巻き上げて収納する発明及び考案として、特開平７−３０８２１３と実開昭５１−１１０７５７が有る。
【０００４】
石突き部に容器を装着するものとして特開平９−２７６０１８を例に取れば、カバー収納筒はある程度の容積を必要とし、大型にならざるを得ない。特に保形枠の存在は小型化を阻むことになる。収納時の小型化を図れば、カバー素材を薄くせざるを得ず、耐久性に問題が生じる。実開昭６２−１３９３２０のごとく、蛇腹式のものは容積が大きくなり、携帯に不便である。
【０００５】
【特許文献１】特開平７−３０８２１３
【特許文献２】実開昭５１−１１０７５７
そこで、以下のことが課題となる。極めて小型軽量であること、洋傘に装着して置き、必要に応じて素早く使用できること、カバーをすること及びカバーを収納することの操作が容易であること等の解決のために、傘袋をゴム状の筒とした特開平７−３０８２１３と実開昭５１−１１０７５７がある、しかし、前記ゴム状素材の筒を傘袋とした例では、石突き部に筒の先端を固定し、傘の取っ手の方から先端に向かってドーナツ状に巻き上げて収納するが、巻き上げる過程に於いて、傘袋の巻き上げられてドーナツ状になった部分が、徐々に太さを増して、極めて巻き取りが困難となる。
【０００６】
【特許文献３】特願２００１−５１２００
上記の巻き取り困難を解決するのが特願２００１−５１２００であって、筒胴部に多数の袋状凹凸あるいは長手方向に峰と山が伸びる蛇腹式の折り目を配することで前記ドーナツ状になった部分が円周方向へ延びるためのゆとりを生じさせ、巻き取りを容易にしている。
しかし、巻き取った部分を締め付けて固定する手段として、「傘袋の先端近くに長手方向とほぼ直角をなして傘袋をほぼ一周する輪としての凹凸あるいは前記蛇腹式の折り目のない地帯を形成して締め付け部」としているため、そのことが外見を規定し、デザイン上の制約を生じさせ、前記筒胴部の凹凸もしくは蛇腹式の折り目を美的に配置しようとした際の足かせとなっている。
【０００７】
また、前記傘袋胴部が前記蛇腹式折り目のある部分と無い部分の組み合わせによって構成された洋傘カバーとし、要所要所に折り目のない部分を配することで折り目の根元を引き締め、折り目が延び広がることによって前記胴部がだらしなく押し広げられてしまうことを防いでいるものの、蛇腹以外の凹凸や不定形のたるみを胴部に配した場合のことについては何も配慮されていないため、蛇腹以外のたるみ部が多数配された傘袋に於いても胴部を引き締めるための手だてが必要となる。
【０００８】
【発明が解決しようとする課題】
本発明は、携帯性に優れ、洋傘が濡れた状態での扱いが簡便な洋傘のカバーを供するものであって、特願２００１−５１２００に示された発明が解決し得ない「傘袋の先端近くに長手方向とほぼ直角をなして傘袋をほぼ一周する輪としての凹凸あるいは蛇腹式の折り目のない地帯を形成」することによって生じるデザイン上の制約を無くして、これを改良することを主な課題とする。
又、傘カバーの胴部に傘カバーを巻き取り容易にするための蛇腹以外の多数のたるみ部を設けた場合の、胴部を引き締める手だてを講じる。
【０００９】
【課題を解決するための手段】
ゴム状素材による筒を傘袋とし、傘袋の先端部に石突きへの取り付け部を設け、前記傘袋の胴部には巻き取りを容易にするための多数箇所にたるみあるいは太さ方向に拡張可能な蛇腹式の折り目を配し、前記たるみあるいは太さ方向に拡張可能な蛇腹式の折り目を配したと同位置に重ねて、前記傘袋の先端近くに傘袋の長手方向とほぼ直角をなして傘袋をほぼ一周する輪としての肉厚部あるいはゴム状素材による紐を配すことで、前記筒をドーナツ状に巻き取って前記傘袋の先端に向かう過程において前記巻き取りに抵抗を与え、逆転してほどけることを防ぐ構成とした洋傘カバーを供する。
【００１０】
ゴム状素材による筒を傘袋とし、傘袋の先端部に石突きへの取り付け部を設け、前記傘袋の胴部には巻き取りを容易にするための多数箇所にたるみ部を配し、前記傘袋胴部が前記たるみ部の集合した地帯と前記たるみ部の存在しない地帯の組み合わせによって構成された洋傘カバーを供する。
【００１１】
傘袋の先端に、洋傘の石突きに嵌合可能な孔の径の異なる複数の輪を、大から小に向かって段階的に変化するように連結して取り付けた請求項１あるいは請求項２のいずれかに記載した洋傘カバーを供する。
【００１２】
【発明の実施の形態】
発明の実施の形態について図を用いて説明する。
図１は洋傘１に本発明の傘袋２を装着した状態を示す実施例１の斜視図である。傘袋２は伸縮性に富み、柔軟で水に対し不透性の素材つまりゴム状素材による薄膜で細長い筒状体を成形して洋傘カバーとする。
【００１３】
傘袋１の胴部３は多数のたるみ部４を設ける。たるみ部４は胴部３を形成するゴム状薄膜が、丸や四角あるいは不定形などに凹凸をなして袋状に似たたるみを生じたものである。傘袋２の先端近くに傘袋２をほぼ一周する輪としての締め付け部５である肉厚部５１あるいはゴム状素材による紐５２を配し、先端には取り付け部６を配する。図１において締め付け部５には胴部３に配されたたるみ部４が配されて無い様に描かれているが、締め付け部５の位置を明確に示すための便宜的なものであって実際にはたるみ部４による前記加飾が連続し、締め付け部５は裏側に施すか前記加飾に紛れて気づかないように配する。
【００１４】
傘１の収納時には巻き取られてリング状になった傘袋２１を傘１の取っ手１３に向かってしごくように回転させて伸ばす。又、傘１を使用するために傘袋２を傘１からはずすには収納時とは逆に巻き取られてリング状になった傘袋２１を傘１の石突き１２に向かって、つまり下向きの矢印の方向にしごくように回転させて傘袋２を巻きとる。巻き取られた傘袋２がリング状になり太さを増し、巻き取りに対する抵抗を増すが、たるみ部４がつくるたるみが延びることによって巻き取りを容易にする。
【００１５】
傘袋２の先端近くに傘袋２をほぼ一周する輪としての肉厚部５１あるいはゴム状素材による紐５２を配して締め付け部とする。巻き取られてリング状になった傘袋２１は位置の固定に対し不安定で、ほどけるようとする力が働く。締め付け部５まで巻き取りが進んで、更に巻き取ろうとすると締め付け部５つまり肉厚部５１あるいはゴム状素材による紐５２が引き延ばされることに抵抗力を発揮する。前記抵抗力を乗り越えて巻き取ると今度は肉厚部５１あるいはゴム状素材による紐５２が、締め付け部としての機能を発揮し、傘袋２が元に戻ろうとすることを妨げる。
【００１６】
図２は実施例１に於ける傘袋２が巻き取られた状態を示す一部断面を含む斜視図である。本図は傘袋２の端に形成された巻き取り芯７を軸として最後まで巻き取られてリング状となった傘袋２１の一部を切り欠いて約半分が断面、残り半分が巻き取られた外見を表している。傘袋の先端部近くに傘袋をほぼ一周する輪として肉厚部５１を締め付け部５とした例であるが、肉厚部５１がリングの外側に来たときには大きく引き延ばされ、巻き取るために必要な力も強くなる。
【００１７】
リングの山つまりリングの外側を乗り越えて内側に近づくにつれ、巻き取られてリング状になった傘袋２１は位置的に安定する。肉厚部５１は巻き取られてリング状となった傘袋２１を締め付け、傘袋２がほどけて元の形状に戻ることを防ぐ。肉厚部５１をゴム状素材による紐５２に替えても同様の効果を発揮する。肉厚部５１は、後述するがたるみ部４や蛇腹による凹凸によってなされる加飾を妨げないものとする。
【００１８】
図３は傘袋２が巻き取られた状態を示す実施例２の斜視図であり、図２に於ける肉厚部５１をゴム状の紐５２に置き換えたものである。傘袋２の先端には傘袋２を形成するゴム状薄膜の補強を兼ねたゴム状素材による輪等を傘への取り付け部６として形成する。取り付け部６の穴に石突き１２を挿入してゴム状素材の弾力あるいは接着等により傘袋２を石突き１２に固定できるようにする。
【００１９】
石突き１２がねじにより取り外し可能な場合には石突き１２をはずし、傘布２と石突き１２の間に取り付け部６を挟んで固定することが出来る。使用に当たっては傘袋２開口部から裏返してリング状に巻き取ったものを、上記の方法で装着する。取り付け部６は傘袋に接する方から順に孔の径の比較的大きな取り付け部大６１、ついで孔の径の大きな取り付け部中６２、最後に孔の径の一番小さな取り付け部小６３を連結して傘袋先端に形成する。石突き１２の細いものにはそのままで使用し、太くなるに従って取り付け部小６３、取り付け部中６２を切り取って石突きの太さと取り付け部の孔の径を合わせて使用する。
【００２０】
図４は実施例３の一部断面図を含む斜視図であり、巻き取られた状態の傘袋２を切り欠き、たるみ部４の数を省略して示したものである。傘袋２を巻き取ると巻き取る以前の傘袋２の直径Ｌ１が巻き取られた状態での直径Ｌ２にまで引き延ばされる。傘袋を長手方向に対しほぼ垂直方向に切断した場合の断面２４の長さはにたるみ部４の存在によりよって傘袋の外周よりも長い。巻き取られてリングの外側に位置したたるみ部４１は円周方向に引き延ばされ、巻き取りを容易にする。
【００２１】
図５は実施例４における傘袋２の長手方向の長さを省略して横に拡大して示した一部断面を含む斜視図である。特願２００１−５１２００号に示された発明がが締め付け部５として「傘袋の先端近くに長手方向とほぼ直角をなして傘袋をほぼ一周する輪としての凹凸あるいは蛇腹式の折り目のない地帯を形成して締め付け具とする」のに対し、本願発明は「傘袋の先端近くに傘袋の長手方向とほぼ直角をなして傘袋をほぼ一周する輪としての肉厚部あるいはゴム状素材による紐を配すことで、前記筒をドーナツ状に巻き取って前記傘袋の先端に向かう過程において前記巻き取りに抵抗を与え、逆転してほどけることを防ぐ構成とした」ため、締め付け部５の位置であっても凹凸によって加飾することが可能となり、締め付け部５を形成するためのデザイン上の制約を受けることがなくなる。
【００２２】
本図は加飾がたるみ部４の配列であって締め付け部５を肉厚部５１とした例である。傘袋２の表面にたるみ部４の形状や配置を様々に工夫して変化させても、それに左右されずに傘袋２の裏側に肉厚部５１を形成することで締め付け部５とすることができる。本図は傘袋２の一部を切り欠いて断面を表しているが、内部から見た凹凸は図を見やすくするために省略してある。
【００２３】
図６は実施例５における傘袋２の長手方向の長さを省略して横に拡大して示した一部断面を含む斜視図である。本図は加飾として太さ方向に拡張可能な蛇腹式の折り目を配し、嶺８１と谷８２を有する蛇腹８の配列であって締め付け部５をゴム状素材による紐５２とした例である。傘袋２の表面に嶺８１と谷８２を様々に変化させて配置しても、それに左右されずに傘袋２の裏側にゴム状素材による紐５２を形成することで締め付け部５とすることができる。場合によっては意図的にゴム状素材による紐５２を表に配置することや、一部を表に配置し一部を裏側に配置するなどしてデザイン上の多様性を実現させることが可能となる。内部から見た凹凸を省略して描いたことは図５と同様である。
【００２４】
図７は実施例６の拡大図であり、傘袋２の先端部を長手方向に切り裂いて内側を手前にして示したものである。本実施例は傘袋胴部３に、たるみ部の集合した地帯２２とたるみ部の存在しない地帯２３を形成した例を示したものである。たるみ部４を傘袋胴部３の全面に配した場合には、たるみ部４の形状やたるみ部４とたるみ部４の間隔によっては、全体のたるみ部４が引き延ばされて傘袋２がだらしなく延び広がってしまう。たるみ部の集合した地帯２２とたるみ部の存在しない地帯２３を形成することにより、たるみ部の存在しない地帯が傘袋２が延び広がることを防ぎ引き締まった形状を保つことが可能となる。
【００２５】
傘袋胴部３の不特定の場所を傘袋の中心軸に対し垂直方向に切断した場合、巻き取りに必要な力あるいは傘１を締め付ける力を一定に保つために、どの断面に於いてもたるみ部４のある部分と無い部分の比率が一定であることが望ましい。本図の場合にはたるみ部４が存在しない地帯２３が傘袋２全体を網目状に覆うことになって傘袋２がだらしなく広がってしまうことを防ぐ。又、締め付け部５の位置を気にすることなく、たるみ部４の形状やたるみぶ４を集合させた地帯２２とたるみ部の存在しない地帯２３の組み合わせを自由に変えることが可能であるため、加飾に様々な可能性が生じる。図６に於いても同様のことが言える。
【００２６】
【発明の効果】
本願発明は、ゴム状素材による筒を傘袋とし、傘袋の先端部に石突きへの取り付け部を設け、前記傘袋の胴部には巻き取りを容易にするための多数箇所にたるみあるいは太さ方向に拡張可能な蛇腹式の折り目を配し、前記たるみあるいは太さ方向に拡張可能な蛇腹式の折り目を配したと同位置に重ねて、前記傘袋の先端近くに傘袋の長手方向とほぼ直角をなして傘袋をほぼ一周する輪としての肉厚部あるいはゴム状素材による紐を配すことで、前記筒をドーナツ状に巻き取って前記傘袋の先端に向かう過程において前記巻き取りに抵抗を与え、逆転してほどけることを防ぐ構成とした洋傘カバーであるため次に記載する効果を奏する。
【００２７】
特願２００１−５１２００号に示された発明が締め付け部５として「傘袋の先端近くに長手方向とほぼ直角をなして傘袋をほぼ一周する輪としての凹凸あるいは蛇腹式の折り目のない地帯を形成して締め付け具とする」のに対し、本願発明は「傘袋の先端近くに傘袋の長手方向とほぼ直角をなして傘袋をほぼ一周する輪としての肉厚部あるいはゴム状素材による紐を配すことで、前記筒をドーナツ状に巻き取って前記傘袋の先端に向かう過程において前記巻き取りに抵抗を与え、逆転してほどけることを防ぐ構成とした」ため、締め付け部５を設けた位置であってもその場所を凹凸にって加飾することが可能となり、締め付け部５を形成するためのデザイン上の制約を受けることがなくなった。
【００２８】
ゴム状素材による筒を傘袋とし、傘袋の先端部に石突きへの取り付け部を設け、前記傘袋の胴部には巻き取りを容易にするための多数箇所にたるみ部を配し、前記傘袋胴部が前記たるみ部の集合した地帯と前記たるみ部の存在しない地帯の組み合わせによって構成された洋傘カバーであるため次に記載する効果を奏する。
【００２９】
たるみ部４の集合させた地帯２２とたるみ部の存在しない地帯２３を設けることで、たるみ部４の存在しない地帯２３、傘袋２の胴部３がだらしなく延び広がることを防ぎ引き締まった形状を保つことが可能となる。胴部３に付けるたるみ部４の大きさや形状またはたるみ部４の存在しない地帯２３形状及びそれぞれの組み合わせを変えることによって加飾の可能性の幅を大きく拡げることが可能となる。
【００３０】
傘袋の先端に、洋傘の石突きに嵌合可能な孔の径の異なる複数の輪を、大から小に向かって段階的に変化するように連結して取り付けた洋傘カバーであるため次に記載する効果を奏する。
【００３１】
洋傘の石突き部は傘それぞれによって太さがまちまちであるが、孔の径の異なる複数の輪を、大から小に向かって段階的に変化するように連結して取り付けてあるため、合致しないものを切り捨てることによって、一種類の傘カバーを用意するだけで様々なタイプの洋傘に使用可能となる。
【図面の簡単な説明】
【図１】実施例１の斜視図であり、洋傘１に本発明を装着した状体を示すものである。
【図２】実施例１に於ける傘袋２が巻き取られた状態を示す一部断面を含む斜視図である。
【図３】傘袋２が巻き取られた状態を示す実施例２の斜視図である。
【図４】実施例３の一部断面図を含む斜視図であり
【図５】実施例４における傘袋２の長手方向の長さを省略して横に拡大して示した一部断面を含む斜視図である。
【図６】実施例５における傘袋２の長手方向の長さを省略して横に拡大して示した一部断面を含む斜視図である。
【図７】実施例６の切り裂いて表した拡大図である。
【符号の説明】
１  洋傘
１２  石突き
１３  取っ手
２  傘袋
２１  リング状になった傘袋
２２  たるみ部の集合した地帯
２３  たるみ部の存在しない地帯
２４  傘袋の断面
３  胴部
４  たるみ部
４１  リングの外側に位置したたるみ部
５  締め付け部
５１  肉厚部
５２  ゴム状素材による紐
６  取り付け部
６１  取り付け部大
６２  取り付け部中
６３  取り付け部小
７  巻き取り芯
８  蛇腹
８１  嶺
８２  谷
Ｌ１  巻き取ると巻き取る以前の傘袋２の直径
Ｌ２  巻き取られた状態での傘袋２の直径